(57)【要約】【課題】着脱可能な外部記憶媒体に記憶されたデータの中から必要な画像を簡単に選択し、他の通信端末装置へ送信できる通信端末装置を提供する。【解決手段】画像データを記憶する着脱可能な外部記憶媒体Ｍを接続するための接続端子５ａと、外部記憶媒体Ｍに記憶されている画像データを縮小画像で表示するための表示部６と、接続端子５ａに外部記憶媒体Ｍが接続されたことを認識したときには、外部記憶媒体Ｍに記憶されている各画像データの縮小画像と、その画像データに対応して互いに異なる参照名とを関連させて表示部６に表示し、参照名を指定した送信指示を受け付けると、その指定された参照名に対応する画像データを送信指示に従って送信する制御手段１とを備えた通信端末装置。【選択図】図１
2005318035.tif 000002
【特許請求の範囲】
【請求項１】
画像データを記憶する着脱可能な外部記憶媒体を接続するための接続端子と、
上記外部記憶媒体に記憶されている画像データを縮小画像で表示するための表示部と、
上記接続端子に上記外部記憶媒体が接続されたことを認識したときには、上記外部記憶媒体に記憶されている各画像データの縮小画像と、その画像データに対応して互いに異なる参照名とを関連させて上記表示部に表示し、参照名を指定した送信指示を受け付けると、その指定された参照名に対応する画像データを送信指示に従って送信する制御手段とを備えた通信端末装置。
【請求項２】
請求項１において、
上記制御手段は、画像データとその画像データに対応する参照名とを上記接続端子に接続された上記外部記憶媒体に記憶させる構成にされた通信端末装置。
【請求項３】
請求項１において、
上記制御手段は、上記外部記憶媒体から画像データを読み込む際、画像データに対応付けて記憶されている属性情報を読み込み、その属性情報に基づいて、各画像データに対応する参照名を決定する構成にされた通信端末装置。
【請求項４】
請求項１乃至３のいずれかにおいて、
上記接続端子はＵＳＢ接続端子である通信端末装置。
【発明の詳細な説明】
【技術分野】
【０００１】
本発明は、メモリーカード等の外部記憶媒体に記憶されているデータを容易に他の通信端末装置へ送信する通信端末装置に関する。
【背景技術】
【０００２】
従来より通信端末装置に保存しておくデータや通信回線を介して受信したデータは、当該装置に保存しておく他、データの保存管理のため、可搬型外部記憶媒体が利用される。
例えば、下記特許文献１ではモノクロ印刷しかできない装置の通信回線からカラーデータを受信し、外部記憶媒体に一旦カラーデータを格納し、カラー印刷が可能な他の装置でカラー印刷を得る技術が開示されている。
【特許文献１】特開２００１−１２８０１０号公報
【発明の開示】
【発明が解決しようとする課題】
【０００３】
しかしながら、従来の外部記憶媒体は、記憶容量が小さく、データを読み取るには専用のリーダ、ライターを要するものであった。
そこで、近年ＵＳＢ端子を接続端子とし、記憶容量が大きい外部記憶媒体が知られてきた。これは、現在流通する多くの通信端末装置に標準装備されているＵＳＢ端子に直接接続可能な構成としており、接続するだけで自動認識できるので、使い方が容易で、これまでのようにリーダ、ライターを要せず、またＵＳＢから電源が供給されるので、ＡＣアダプタも必要としないというものである。
【０００４】
しかしながら、上記のような外部記憶媒体を利用して、データを外部に送信する場合、送信したいデータを一旦通信端末装置に保存する必要があったり、膨大なデータが保存されている場合、その中から送信したいデータを探すのは容易ではなかった。
【０００５】
本発明は、このような問題を解決するために提案されるものであり、着脱可能な外部記憶媒体に記憶されたデータの中から必要な画像を簡単に選択し、他の通信端末装置へ送信できる通信端末装置を提供することを目的としている。
【課題を解決するための手段】
【０００６】
上記目的を達成するために、本発明の請求項１では、  画像データを記憶する着脱可能な外部記憶媒体を接続するための接続端子と、上記外部記憶媒体に記憶されている画像データを縮小画像で表示するための表示部と、上記接続端子に上記外部記憶媒体が接続されたことを認識したときには、上記外部記憶媒体に記憶されている各画像データの縮小画像と、その画像データに対応して互いに異なる参照名とを関連させて上記表示部に表示し、参照名を指定した送信指示を受け付けると、その指定された参照名に対応する画像データを送信指示に従って送信する制御手段とを備えた通信端末装置を提案する。
【０００７】
請求項２では、請求項１において、上記制御手段は、画像データとその画像データに対応する参照名とを上記接続端子に接続された上記外部記憶媒体に記憶させる構成にされた通信端末装置を提案する。
【０００８】
請求項３では、請求項１において、上記制御手段は、上記外部記憶媒体から画像データを読み込む際、画像データに対応付けて記憶されている属性情報を読み込み、その属性情報に基づいて、各画像データに対応する参照名を決定する構成にされた通信端末装置を提案する。
ここで属性情報とはファイル名、ファイル作成日時等をいう。
【０００９】
請求項４では、請求項１乃至３のいずれかにおいて、上記接続端子はＵＳＢ接続端子である通信端末装置を提案する。
【発明の効果】
【００１０】
本発明の請求項１では、外部記憶媒体から読み取った画像データが参照名とともに表示されるため、外部記憶媒体が保持している画像データを視認することができ、記憶されているファイルの内容がわかりやすい。
またそこから、送信したい画像データを容易に選択し指定することができる。
すなわち、これによれば、外部記憶媒体に記憶されている複数の画像データの中から必要な画像データを簡単に選択し、他の通信端末装置へ送信できる。
【００１１】
請求項２では、画像データとその画像データに対応する参照名とを上記接続端子に接続された上記外部記憶媒体に記憶させることができるので、データの整理がしやすい。
【００１２】
請求項３では、外部記憶媒体から画像データを読み込む際、画像データに対応付けて記憶されている属性情報を読み込み、その属性情報に基づいて、各画像データに対応する参照名を決定する構成にしているので、外部記憶媒体に記憶されているファイルの内容の認識が容易になる。
【００１３】
請求項４では、接続端子はＵＳＢ接続端子であることを特徴とするので、汎用性が高く専用のリーダ、ライターを設置する必要がない。
【発明を実施するための最良の形態】
【００１４】
以下に、本発明の実施の形態について説明する。
【実施例１】
【００１５】
図１は、本発明の通信端末装置の要部構成及び外部記憶媒体の要部構成の一例を示す図である。なお、ここでは、通信端末装置の一例としてファクシミリ装置Ｆの構成を示しているが、他の通信端末装置に画像データを送信できる構成であれば何を用いてもよい。
このファクシミリ装置Ｆは、このファクシミリ装置Ｆを制御する制御部１と、このファクシミリ装置Ｆは動作するのに必要なプログラムなどを格納するＲＯＭ２と、短縮ダイヤルなどを登録するＲＡＭ３と、ＤＲＡＭ等で構成され、外部記憶媒体Ｍから読み取った画像データや送受する画像データを一時記憶する画像メモリ４と、外部機器や外部記憶媒体Ｍとのインタフェースを備えた接続部５と、液晶画面や各種操作キー等で構成された操作表示部６と、セットされた原稿を読み取り画像データを形成する読取部７と、予めセットされた記録紙に、画像データを記録して排出トレーに排出するプリンタ部８と、ファクシミリ通信のために必要な各種信号の変復調をするモデム９と、電話回線Ｌ１に対する接続制御をするＮＣＵ１０と、このファクシミリ装置ＦをＬＡＮ（Ｎ２）に接続するためのＬＡＮインタフェース１２とを備える。
ここで接続部５には、着脱可能で可搬型の外部記憶媒体Ｍと直接接続できる端子５ａを備えている。図１では例として端子５ａとして、ＵＳＢ端子を示す。
【００１６】
可搬型外部記憶媒体Ｍは、画像データにデータ番号を対応付けて記憶でき、着脱可能な可搬型のものであればよく、少なくともＵＳＢ端子５ａと直接接続可能なインタフェース部Ｍ１と、制御を行うＣＰＵ（Ｍ２）と、画像データを記憶保持するメモリＭ３（フラッシュメモリ等）を備えており、大容量データを高速転送可能で、ファクシミリ装置ＦのＵＳＢ端子５ａに接続すれば、自動認識可能なものが望ましい。
上述のように、ファクシミリ装置Ｆと外部記憶媒体Ｍとの接続が、ＵＳＢ接続端子であれば、汎用性が高まり、別途専用のリーダ、ライターを設置する必要がない。
【００１７】
本発明は、上述のような画像データを記憶する着脱可能な外部記憶媒体Ｍを接続するための接続端子５ａと、外部記憶媒体Ｍに記憶されている画像データを縮小画像で表示するための操作表示部６と、上記接続端子５ａに上記外部記憶媒体Ｍが接続されたことを認識したときには、上記外部記憶媒体Ｍに記憶されている各画像データの縮小画像と、その画像データに対応して互いに異なる参照名とを関連させて上記操作表示部６に表示し、参照名を指定した送信指示を受け付けると、その指定された参照名に対応する画像データを送信指示に従って送信する制御手段とを備えていることを特徴とする。  
【００１８】
また制御手段１は、外部記憶媒体Ｍから画像データを読み込む際、画像データに対応付けて記憶されている属性情報を読み込み、その属性情報に基づいて、各画像データに対応する参照名を決定する構成とする。各画像データに付与される参照名は、画像毎に異なり、数字に限られず、Ａ、Ｂ・・・等のアルファベットで構成してもよい。
【００１９】
ここで、ファクシミリ装置Ｆの操作表示部６に表示される画像データは、外部記憶媒体Ｍ上の画像データのうち、表示解像度に対応する一部の画像データを読み込んで表示されるもので、参照名毎に格納される全てのデータを表示する必要はなく、ユーザが判別できる程度の大きさで一画面内に複数の画像データを並べて表示し（例えば図３）、ユーザ側で保存されているデータの内容が対応付けられた参照名とともに、一目で視認できる構成であればよい。
例えば、外部記憶媒体Ｍ上の画像データは、「実画像データ（サムネイル画像データよりも高解像度でデータ量が多いもの）」、「サムネイル画像データ（表示用の低解像度データ）」、「属性情報」を備えており、表示される画像データはこれらの内、「サムネイル画像データ（表示用の低解像度データ）」のみを読み込んで表示する。
なお、外部に送信する画像データは、「サムネイル画像データ（表示用の低解像度データ）」ではなく、実画像データを読み込んで送信する。
【００２０】
これによれば、外部記憶媒体Ｍから読み取った画像データをデータ番号とともに表示されるため、外部記憶媒体Ｍが保持している画像データを視認することができ、記録されているファイルの内容がわかりやすい。またそこから、送信したい画像データを容易に選択し指定することができる。
すなわち、これによれば、外部記憶媒体Ｍに記憶されている複数の画像データの中から必要な画像データを簡単に選択し、外部へ送信できる。
さらに、外部記憶媒体Ｍから画像データを読み込む際、画像データに対応付けて記憶されている属性情報を読み込み、その属性情報に基づいて、各画像データに対応する参照名を決定する構成にしているので、外部記憶媒体Ｍに記憶されているファイルの内容の認識が容易にできる。
【００２１】
該ファクシミリ装置Ｆの制御手段１は、画像データとその画像データに対応する参照名とを上記接続端子５ａに接続された上記外部記憶媒体Ｍに記憶させることを特徴とする。
すなわち、外部記憶媒体Ｍには、複数の画像データ（画像ファイル）がそれぞれ属性情報（ファイル名、ファイル作成日時等）に対応付けて記憶されており、ファクシミリ装置Ｆは、画像データを読み込む際、各画像データが有する属性情報を参照して順序を決定し、その決定した順序に従って各画像データに対して参照名を付与することができる。例えば、ファイル作成日時が古い／新しい順に参照名を付与するが可能である。
【００２２】
これによれば、画像データを保存する際にその都度、データ番号等の参照名を付加する操作を行う必要がなくデータの整理がしやすく、また外部記憶媒体Ｍに記憶されている画像データの内容の認識が容易になる。
【００２３】
図２、図３は操作表示部６の表示例を示した図である。
図２は、外部記憶媒体Ｍから読み取った画像データを表示するか否かを選択する表示画面の一例である。ファクシミリ装置Ｆの接続端子５ａに外部記憶媒体Ｍが接続され、ファクシミリ装置Ｆが接続を認識すると、図２に示すような「蓄積画像データを表示しますか？」というようなメッセージが操作表示部６の液晶画面に表示される。
表示画面６の態様は、図２に表したものに限られず、また外部記憶媒体Ｍがファクシミリ装置Ｆに接続されたことが認識されれば、選択画面を介さず、図３を表示させるものとしてもよい。
【００２４】
図３は、蓄積されている画像データを表示した際の表示画面の一例である。
ここでは、外部記憶媒体Ｍから読み取った画像データとそれに対応付けられた参照名が表示されている。表示される画像データは格納される全てを表示する必要はなく、外部記憶媒体Ｍ上の画像データのうち、表示解像度に対応する一部の画像データ（「サムネイル画像データ（表示用の低解像度データ）」）のみを読み込んで表示されればよい。一画面内には、図３に示すように、複数の画像が並んで表示され、各画像内容はユーザが判別できる程度の大きさで表示される。
なお、格納されるデータの形式も限定されず、静止画像（ＪＰＥＧ、ＴＩＦ等）や動画像（ＭＰＥＧ等）にも適用可能である。
【００２５】
このように、表示された画像データの中から、他の通信端末装置へ送りたい画像データを選択されると、送信入力画面になる。以下、本発明の基本動作の一例をフローチャートに示して説明する。
【００２６】
図４は、本発明の基本動作を示したフローチャート（１００〜１０７）である。
ファクシミリ装置Ｆの接続端子５ａに外部記憶媒体Ｍのインタフェース部Ｍ１が接続されると、ファクシミリ装置Ｆは外部記憶媒体Ｍが接続されたことを認識すると（１００）、図２に示すような画像データの表示をするか否かを選択できる選択画面が表示される（１０１）。
該選択画面より画像データを表示する選択がなされると（１０１）、画像データ選択表示画面を表示し（１０２）、画像データの表示をしないと選択がなされた場合は（１０１）、待機画面を表示する（１０７）。
【００２７】
図３に示すような画像データ選択表示画面に表示される画像データ（サムネイル画像データ）の中から参照名を選択すれば（１０３）、宛先アクセス情報（ＦＡＸ番号及び／又はメールアドレス）の入力画面となり（１０５）、所望するあて先へ実画像データを読み込んで送信する（１０６）。
なお、ＦＡＸ番号等の入力手段は、手入力の他、短縮ダイヤルキーやワンタッチダイヤルキーに入力を含む。
ここで、送信手段はファクシミリ送信だけに限られず、画像データを添付ファイルとして電子メールを送信できる構成としてもよい。また、ＦＡＸ番号等の入力の後、選択した画像データ及び入力したＦＡＸ番号等の確認を促す画面を設けても良い。これによれば、誤送信を防ぐことができる。
【図面の簡単な説明】
【００２８】
【図１】本発明の内部構成及び外部記憶媒体の要部構成との一例を示す図である。
【図２】本発明の通信端末装置の操作表示部の表示態様の一例を示す図である。
【図３】本発明の通信端末装置の操作表示部の表示態様の一例を示す図である。
【図４】本発明の基本動作を説明するためのフローチャートの一例を示す図である。
【符号の説明】
【００２９】
Ｆ    ファクシミリ装置
１    制御部
２    ＲＯＭ
３    ＲＡＭ
４    画像メモリ
５    接続部
５ａ  端子（ＵＳＢ端子）
６    操作表示部
７    読取部
８    プリンタ部
Ｍ    外部記憶媒体
Ｍ１  インタフェース部
Ｍ２  ＣＰＵ
Ｍ３  メモリ              
【図１】
2005318035.tif 000003
【図２】
2005318035.tif 000004
【図３】
2005318035.tif 000005
【図４】
2005318035.tif 000006